(57)【特許請求の範囲】
【請求項１】
受信中間周波数信号を直交受信ベースバンド信号に変換する直交復調手段を備え、バンド切り換え信号により複数の周波数帯を切り換えて受信するマルチバンドデータ通信装置において、
前記直交復調手段は、
受信中間周波数信号を受信ベースバンド信号に変換する第１直交ミキサと、
基本となる周波数パターン分の離散データを保持する記憶手段と、
所定クロック毎にアドレスを生成するアドレス生成手段と、
前記バンド切り換え信号に基づく所定数を前記アドレスに加算する位相シフト手段と、
前記アドレス生成手段の出力によって前記記憶手段をアドレッシングして読み出されたデータをアナログ変換して一の第１直交ミキサに供給する第１アナログ変換手段と、
前記位相シフト手段の出力によって前記記憶手段をアドレッシングして読み出されたデータをアナログ変換して他の第１直交ミキサに供給する第２アナログ変換手段と、
を有することを特徴とするマルチバンドデータ通信装置。
【請求項２】
直交送信ベースバンド信号を送信中間周波数信号に変換する直交変調手段を備え、バンド切り換え信号により複数の周波数帯を切り換えて送信するマルチバンドデータ通信装置において、
前記直交変調手段は、
送信ベースバンド信号を送信中間周波数信号に変換する第２直交ミキサと、
基本となる周波数パターン分の離散データを保持する記憶手段と、
所定クロック毎にアドレスを生成するアドレス生成手段と、
前記バンド切り換え信号に基づく所定数を前記アドレスに加算する位相シフト手段と、
前記アドレス生成手段の出力によって前記記憶手段をアドレッシングして読み出されたデータをアナログ変換して一の第２直交ミキサに供給する第１アナログ変換手段と、
前記位相シフト手段の出力によって前記記憶手段をアドレッシングして読み出されたデータをアナログ変換して他の第２直交ミキサに供給する第２アナログ変換手段と、
を有することを特徴とするマルチバンドデータ通信装置。
【請求項３】
直交送信ベースバンド信号を送信中間周波数信号に変換する直交変調手段と、受信中間周波数信号を直交受信ベースバンド信号に変換する直交復調手段と、前記直交変調手段および前記直交復調手段に局部信号を供給する局部信号生成手段と、を備え、バンド切り換え信号により複数の周波数帯を切り換えて送受信するマルチバンドデータ通信装置において、
前記直交復調手段は、受信中間周波数信号を受信ベースバンド信号に変換する第１直交ミキサを有し、
前記直交変調手段は、送信ベースバンド信号を送信中間周波数信号に変換する第２直交ミキサを有し、
前記局部信号生成手段は、
基本となる周波数パターン分の離散データを保持する記憶手段と、
所定クロック毎にアドレスを生成するアドレス生成手段と、
前記バンド切り換え信号に基づく所定数を前記アドレスに加算する位相シフト手段と、
前記アドレス生成手段の出力によって前記記憶手段をアドレッシングして読み出されたデータをアナログ変換して一の第１直交ミキサまたは第２直交ミキサに供給する第１アナログ変換手段と、
前記位相シフト手段の出力によって前記記憶手段をアドレッシングして読み出されたデータをアナログ変換して他の第１直交ミキサまたは第２直交ミキサに供給する第２アナログ変換手段と、
を有することを特徴とするマルチバンドデータ通信装置。
【請求項４】
前記直交変調手段または前記局部信号生成手段は、
クロック信号を生成するクロック生成手段と、
前記記憶手段からデータを読み出すクロック間隔を決定して前記アドレス生成手段のアドレス生成を制御する間隔決定手段と、
を有することを特徴とする請求項１、２または３に記載のマルチバンドデータ通信装置。
【請求項５】
受信中間周波数信号を直交受信ベースバンド信号に変換する直交復調手段を備え、バンド切り換え信号により複数の周波数帯を切り換えて受信するマルチバンドデータ通信装置の通信方法であって、
基本となる周波数パターン分の離散データを保持する記憶ステップと、
所定クロック毎にアドレスを生成するアドレス生成ステップと、
前記バンド切り換え信号に基づく所定数を前記アドレスに加算する位相シフトステップと、
前記アドレス生成ステップの出力によって前記記憶ステップの保持データをアドレッシングして読み出されたデータをアナログ変換して、受信中間周波数信号を受信ベースバンド信号に変換する第１直交ミキサの一つに供給する第１アナログ変換ステップと、
前記位相シフトステップの出力によって前記記憶ステップの保持データをアドレッシングして読み出されたデータをアナログ変換して他の第１直交ミキサに供給する第２アナログ変換ステップと、
を有することを特徴とするマルチバンドデータ通信装置の通信方法。
【請求項６】
直交送信ベースバンド信号を送信中間周波数信号に変換する直交変調手段を備え、バンド切り換え信号により複数の周波数帯を切り換えて送信するマルチバンドデータ通信装置の通信方法であって、
基本となる周波数パターン分の離散データを保持する記憶ステップと、
所定クロック毎にアドレスを生成するアドレス生成ステップと、
前記バンド切り換え信号に基づく所定数を前記アドレスに加算する位相シフトステップと、
前記アドレス生成ステップの出力によって前記記憶ステップの保持データをアドレッシングして読み出されたデータをアナログ変換して、送信ベースバンド信号を送信中間周波数信号に変換する第２直交ミキサの一つに供給する第１アナログ変換ステップと、
前記位相シフトステップの出力によって前記記憶ステップの保持データをアドレッシングして読み出されたデータをアナログ変換して他の第２直交ミキサに供給する第２アナログ変換ステップと、
を有することを特徴とするマルチバンドデータ通信装置の通信方法。
【請求項７】
直交送信ベースバンド信号を送信中間周波数信号に変換する直交変調手段と、受信中間周波数信号を直交受信ベースバンド信号に変換する直交復調手段と、を備え、バンド切り換え信号により複数の周波数帯を切り換えて送受信するマルチバンドデータ通信装置の通信方法において、
基本となる周波数パターン分の離散データを保持する記憶ステップと、
所定クロック毎にアドレスを生成するアドレス生成ステップと、
前記バンド切り換え信号に基づく所定数を前記アドレスに加算する位相シフトステップと、
前記アドレス生成ステップの出力によって前記記憶ステップの保持データをアドレッシングして読み出されたデータをアナログ変換して、受信中間周波数信号を受信ベースバンド信号に変換する第１直交ミキサ或いは送信ベースバンド信号を送信中間周波数信号に変換する第２直交ミキサの一つに供給する第１アナログ変換ステップと、
前記位相シフトステップの出力によって前記記憶ステップの保持データをアドレッシングして読み出されたデータをアナログ変換して他の第１直交ミキサまたは第２直交ミキサに供給する第２アナログ変換ステップと、
を有することを特徴とするマルチバンドデータ通信装置の通信方法。
【請求項８】
請求項５、６または７に記載のマルチバンドデータ通信装置の通信方法をコンピュータに実行させるためのプログラムとして記録したコンピュータにより読み取り可能な記録媒体。
【発明の詳細な説明】
【０００１】
【発明の属する技術分野】
本発明はマルチバンドデータ通信装置、マルチバンドデータ通信装置の通信方法および該マルチバンドデータ通信装置の通信方法を実行させるためのプログラムを記録した記録媒体に係り、特に、回路規模を最小限に抑制でき、かつベースバンド信号の劣化を防止したマルチバンドデータ通信装置、マルチバンドデータ通信装置の通信方法および記録媒体に関する。
【０００２】
【従来の技術】
従来のデュアルバンド若しくはマルチバンドデータ通信装置として、例えば図１２に示すようなものがある。図１２は従来のマルチバンドデータ通信装置の構成図である。ここで、データ通信装置としては、ディジタル携帯電話機やページング受信機に代表される移動体通信装置等のデータ通信装置を想定している。
【０００３】
本従来例のマルチバンドデータ通信装置は、アンテナ１０１と、ローカル発振器１０４と、受信部および送信部を備えた構成である。ここで受信部としては、高周波増幅器１０２、ダウンコンバータ１０３、中間周波増幅器１０５、直交復調器１２０８およびデータ出力回路１２２１を備え、送信部としては、（高出力）電力増幅器６０２、アップコンバータ６０３、直交変調器１２１８および波形生成回路１２２２を備えている。以下では、図１２に示すマルチバンドデータ通信装置を用いて従来の技術を説明する。
【０００４】
先ず、受信部において、アンテナ１０１より受信した変調された受信信号は、高周波増幅器１０２により増幅され、その後ダウンコンバータ１０３に入力される。ダウンコンバータ１０３では、増幅された受信信号とローカル発振器１０４の出力するローカル信号１５２のそれぞれの周波数の和および差となる周波数の信号を出力するが、ここでは、低域フィルタまたは帯域フィルタを利用して、受信高周波信号よりも周波数の低くなる差の周波数の信号を、受信中間周波信号として選択したものとする。ダウンコンバータ１０３より出力された受信信号より低い周波数の受信中間周波信号１５１は、中間周波増幅器１０５により増幅され、直交復調器１２０８に入力される。
【０００５】
直交復調器１２０８は、受信中間周波信号を受信ベースバンド信号１５７および１５８に変換する２つの直交ミキサ１０９および１１０と、受信中間周波信号の中心周波数である搬送波周波数の信号を精度良く出力する受信ローカル発振器１１１と、互いに９０度の位相差となる２つの信号１５７および１５８を受信ローカル信号より生成して直交ミキサ１０９および１１０に入力する移相器１２０９とを備えて構成されている。
【０００６】
直交復調器１２０８は、増幅された受信中間周波信号を入力して、お互いに９０度の位相差を持つ受信ベースバンド信号１５７および１５８を出力する。データ出力回路１２２１は、お互いに９０度の位相差を持つ受信ベースバンド信号１５７および１５８の位相関係を利用して、受信データ１５９を復号する。
【０００７】
以上述べたような機能を備えた直交復調器１２０８を持つ受信部の動作について、以下説明する。
一般に、直交するベースバンド信号成分をＩ(t) およびＱ(t) としたとき、搬送波の角周波数をωRFとすれば、受信信号ＳRF(t) は、
0003638091.tif 000002
と表わすことができる。以下では各項に等しくかかる振幅の係数は無視することにする。
【０００８】
ローカル信号の角周波数をωLO、任意の位相差をφLOとして、ダウンコンバータ１０３に入力するローカル発振器１０４の出力信号ＳLO(t) を次式とする。
ＳLO(t) ＝cos[ωLOt ＋φLO]     … (2)
【０００９】
ダウンコンバータ１０３では、これら受信信号ＳRF(t) とローカル発振信号ＳLO(t) とが乗算されて、ダウンコンバータ１０３の出力ＳMIX (t) は次式となる。
0003638091.tif 000003
【００１０】
また、ダウンコンバータ１０３の出力は、低域または帯域フィルタにおいて高い周波数成分であるωLO＋ωRFの項が無視されるので、ωLO＞ωRFのときに、受信中間周波信号ＳIF(t) （１５１）は、その角周波数ωIF（＝ωLO−ωRF) を用いて、
0003638091.tif 000004
となる。
【００１１】
直交復調器１２０８において、この受信中間周波信号ＳIF(t) を互いに９０度の位相差を持つ受信ローカル信号１５５および１５６を掛け合わせて得られるのが、受信ベースバンド信号１５７および１５８で、それぞれａ(t) 、ｂ(t) とすると、
0003638091.tif 000005
ここでは、高い周波数の成分を無視してベースバンド成分を取り出すので、結局、
0003638091.tif 000006
となる。なお、ここでは、φBB＝φIF−φLOとした。
【００１２】
同様に、ｂ(t) ＝ＳIF(t)sin [ωIFt ＋φIF] であるから、
0003638091.tif 000007
となり、信号の直交性を利用して、Ｉ(t) 、Ｑ(t) それぞれの成分を取り出すことができる。
【００１３】
ここでは、ωLO＞ωRFとしたが、デュアルバンド或いはマルチバンドと呼ばれる複数の周波数帯を扱う構成では、必ずしもそのような周波数関係であるとは限らない。つまり、ある周波数帯ではωLO＞ωRFが成立して上述した通りとなるが、別の周波数帯でωLO＜ωRFであると考えると、ωIF＝ωRF−ωLOであるので、
0003638091.tif 000008
となり、位相関係の異なる受信ベースバンド信号が得られてしまうことになる。そこで、このようなときには、データ出力回路１２２１において、バンド切り換え信号１５３を用いて受信ベースバンド信号１５７および１５８の極性を切り換えることにより、同様の受信データ１５９を得ることができる。
【００１４】
一方、送信部において、送信データ６５９を入力された波形生成回路１２２２は、入力された送信データ６５９に従った位相関係を持たせた送信ベースバンド信号６５７および６５８を生成し、直交変調器１２１８に入力する。
【００１５】
直交変調器１２１８は、送信ベースバンド信号６５７および６５８を中間周波信号に変換する直交ミキサ６０９および６１０と、中間周波信号の中心周波数となる搬送波周波数の信号を精度良く出力する送信ローカル発振器６１１と、送信ローカル信号から、互いに９０度の位相差を持つ２つの信号６５５および６５６を生成して直交ミキサ６０９および６１０に入力する移相器１２１９と、２つの直交ミキサ６０９および６１０の出力した２つの中間周波信号を合成して送信中間周波信号を出力する加算器６０６とを備えて構成されている。
【００１６】
直交変調器１２１８は、送信データ６５９に従った位相差を持つ２つの送信ベースバンド信号６５７および６５８を入力して、送信中間周波信号６５１を出力する。アップコンバータ６０３は、入力される送信中間周波信号６５１とローカル信号１５２のそれぞれの周波数の和と差となる周波数の信号を出力するが、ここでは高域フィルタまたは帯域フィルタ等を用いて、周波数の高くなる和の周波数の信号を送信高周波信号として選択したものとする。アップコンバータ６０３の出力する送信高周波信号は、（高出力）電力増幅器６０２にて増幅され、送信信号としてアンテナ１０１より出力される。
【００１７】
以上述べたような機能を備えた直交変調器１２１８を持つ送信部の動作について、以下説明する。
一般に、波形生成回路１２２２において、送信データ６５９より生成された、互いに直交する位相関係を持つ送信ベースバンド信号６５７および６５８を、Ｉ(t) およびＱ(t) と表わし、送信ローカル発振器６１１の出力信号の角周波数をωIFとしたときに、送信中間周波信号６５１は、
0003638091.tif 000009
と表わすことができる。以下では、各項に等しくかかる振幅の係数は無視する。
【００１８】
この送信中間周波信号６５１は、アップコンバータ６０３において、ローカル発振器１０４の出力信号ＳLO(t) と乗算されて得られるアップコンバータ６０３の出力信号をＳMIX (t) とすると、
0003638091.tif 000010
となる。
【００１９】
アップコンバータ６０３の出力は、帯域フィルタにて目的の周波数成分のみが選択される。ローカル周波数が送信周波数よりも高い場合は、送信信号ＳUL(t) の角周波数をωRF (＝ωLO−ωIF) とすると、
0003638091.tif 000011
となる。
【００２０】
ところが、ローカル周波数が送信周波数よりも低い場合には、送信信号の角周波数はωRF＝ωLO＋ωIFとなり、この送信信号ＳLL(t) は
0003638091.tif 000012
となり、送信信号とローカル信号の周波数関係によっては、異なる送信信号となってしまう。
そこで、このようなときには、波形生成回路１２２２において、バンド切り換え信号１５３を用いて受信ベースバンド信号６５７および６５８の極性を切り換え、例えば、上式においてＱ(t) を−Ｑ(t) と置き換えることにより、同様の送信信号を得ることができる。
【００２１】
【発明が解決しようとする課題】
しかしながら、ベースバンド信号の極性を切り換える上記従来のマルチバンドデータ通信装置の構成では、もともと規模の大きな回路ブロックであるデータ出力回路１２２１および波形生成回路１２２２について更なる大規模化が要求され、さらに、本来、少しでも低雑音であることが必要とされているベースバンド信号を、このような回路の追加によって劣化させてしまうという問題があった。
【００２２】
本発明は、上記従来の問題点に鑑みてなされたものであって、バンド切り換え信号により複数の周波数帯を切り換えながらも、追加する回路規模を最小限に抑えて集積化に向いた構成を持ち、さらにベースバンド信号の劣化を伴わないマルチバンドデータ通信装置、マルチバンドデータ通信装置の通信方法および記録媒体を提供することを目的としている。
【００２９】
また、請求項１に係るマルチバンドデータ通信装置は、受信中間周波数信号を直交受信ベースバンド信号に変換する直交復調手段を備え、バンド切り換え信号により複数の周波数帯を切り換えて受信するマルチバンドデータ通信装置において、前記直交復調手段は、受信中間周波数信号を受信ベースバンド信号に変換する第１直交ミキサと、基本となる周波数パターン分の離散データを保持する記憶手段と、所定クロック毎にアドレスを生成するアドレス生成手段と、前記バンド切り換え信号に基づく所定数を前記アドレスに加算する位相シフト手段と、前記アドレス生成手段の出力によって前記記憶手段をアドレッシングして読み出されたデータをアナログ変換して一の第１直交ミキサに供給する第１アナログ変換手段と、前記位相シフト手段の出力によって前記記憶手段をアドレッシングして読み出されたデータをアナログ変換して他の第１直交ミキサに供給する第２アナログ変換手段とを具備するものである。
【００３０】
また、請求項２に係るマルチバンドデータ通信装置は、直交送信ベースバンド信号を送信中間周波数信号に変換する直交変調手段を備え、バンド切り換え信号により複数の周波数帯を切り換えて送信するマルチバンドデータ通信装置において、前記直交変調手段は、送信ベースバンド信号を送信中間周波数信号に変換する第２直交ミキサと、基本となる周波数パターン分の離散データを保持する記憶手段と、所定クロック毎にアドレスを生成するアドレス生成手段と、前記バンド切り換え信号に基づく所定数を前記アドレスに加算する位相シフト手段と、前記アドレス生成手段の出力によって前記記憶手段をアドレッシングして読み出されたデータをアナログ変換して一の第２直交ミキサに供給する第１アナログ変換手段と、前記位相シフト手段の出力によって前記記憶手段をアドレッシングして読み出されたデータをアナログ変換して他の第２直交ミキサに供給する第２アナログ変換手段とを具備するものである。
【００３１】
また、請求項３に係るマルチバンドデータ通信装置は、直交送信ベースバンド信号を送信中間周波数信号に変換する直交変調手段と、受信中間周波数信号を直交受信ベースバンド信号に変換する直交復調手段と、前記直交変調手段および前記直交復調手段に局部信号を供給する局部信号生成手段とを備え、バンド切り換え信号により複数の周波数帯を切り換えて送受信するマルチバンドデータ通信装置において、前記直交復調手段は、受信中間周波数信号を受信ベースバンド信号に変換する第１直交ミキサを具備し、前記直交変調手段は、送信ベースバンド信号を送信中間周波数信号に変換する第２直交ミキサを具備し、前記局部信号生成手段は、基本となる周波数パターン分の離散データを保持する記憶手段と、所定クロック毎にアドレスを生成するアドレス生成手段と、前記バンド切り換え信号に基づく所定数を前記アドレスに加算する位相シフト手段と、前記アドレス生成手段の出力によって前記記憶手段をアドレッシングして読み出されたデータをアナログ変換して一の第１直交ミキサまたは第２直交ミキサに供給する第１アナログ変換手段と、前記位相シフト手段の出力によって前記記憶手段をアドレッシングして読み出されたデータをアナログ変換して他の第１直交ミキサまたは第２直交ミキサに供給する第２アナログ変換手段とを具備するものである。
【００３２】
また、請求項４に係るマルチバンドデータ通信装置は、請求項１、２または３に記載のマルチバンドデータ通信装置において、前記直交変調手段または前記局部信号生成手段は、クロック信号を生成するクロック生成手段と、前記記憶手段からデータを読み出すクロック間隔を決定して前記アドレス生成手段のアドレス生成を制御する間隔決定手段とを具備するものである。
【００３９】
また、請求項５に係るマルチバンドデータ通信装置の通信方法は、受信中間周波数信号を直交受信ベースバンド信号に変換する直交復調手段を備え、バンド切り換え信号により複数の周波数帯を切り換えて受信するマルチバンドデータ通信装置の通信方法であって、基本となる周波数パターン分の離散データを保持する記憶ステップと、所定クロック毎にアドレスを生成するアドレス生成ステップと、前記バンド切り換え信号に基づく所定数を前記アドレスに加算する位相シフトステップと、前記アドレス生成ステップの出力によって前記記憶ステップの保持データをアドレッシングして読み出されたデータをアナログ変換して、受信中間周波数信号を受信ベースバンド信号に変換する第１直交ミキサの一つに供給する第１アナログ変換ステップと、前記位相シフトステップの出力によって前記記憶ステップの保持データをアドレッシングして読み出されたデータをアナログ変換して他の第１直交ミキサに供給する第２アナログ変換ステップとを具備するものである。
【００４０】
また、請求項６に係るマルチバンドデータ通信装置の通信方法は、直交送信ベースバンド信号を送信中間周波数信号に変換する直交変調手段を備え、バンド切り換え信号により複数の周波数帯を切り換えて送信するマルチバンドデータ通信装置の通信方法であって、基本となる周波数パターン分の離散データを保持する記憶ステップと、所定クロック毎にアドレスを生成するアドレス生成ステップと、前記バンド切り換え信号に基づく所定数を前記アドレスに加算する位相シフトステップと、前記アドレス生成ステップの出力によって前記記憶ステップの保持データをアドレッシングして読み出されたデータをアナログ変換して、送信ベースバンド信号を送信中間周波数信号に変換する第２直交ミキサの一つに供給する第１アナログ変換ステップと、前記位相シフトステップの出力によって前記記憶ステップの保持データをアドレッシングして読み出されたデータをアナログ変換して他の第２直交ミキサに供給する第２アナログ変換ステップとを具備するものである。
【００４１】
また、請求項７に係るマルチバンドデータ通信装置の通信方法は、直交送信ベースバンド信号を送信中間周波数信号に変換する直交変調手段と、受信中間周波数信号を直交受信ベースバンド信号に変換する直交復調手段とを備え、バンド切り換え信号により複数の周波数帯を切り換えて送受信するマルチバンドデータ通信装置の通信方法において、基本となる周波数パターン分の離散データを保持する記憶ステップと、所定クロック毎にアドレスを生成するアドレス生成ステップと、前記バンド切り換え信号に基づく所定数を前記アドレスに加算する位相シフトステップと、前記アドレス生成ステップの出力によって前記記憶ステップの保持データをアドレッシングして読み出されたデータをアナログ変換して、受信中間周波数信号を受信ベースバンド信号に変換する第１直交ミキサ或いは送信ベースバンド信号を送信中間周波数信号に変換する第２直交ミキサの一つに供給する第１アナログ変換ステップと、前記位相シフトステップの出力によって前記記憶ステップの保持データをアドレッシングして読み出されたデータをアナログ変換して他の第１直交ミキサまたは第２直交ミキサに供給する第２アナログ変換ステップとを具備するものである。
【００４２】
さらに、請求項８に係るコンピュータにより読み取り可能な記録媒体は、請求項５、６または７に記載のマルチバンドデータ通信装置の通信方法をコンピュータに実行させるためのプログラムとして記録したものである。
【００５５】
さらに、本発明の請求項１、２、３、４に係るマルチバンドデータ通信装置、請求項５、６、７に係るマルチバンドデータ通信装置の通信方法および請求項８に係る記録媒体では、バンド切り換え信号により複数の周波数帯を切り換えて送受信する際に、（記憶ステップにより）基本となる周波数パターン分の離散データを記憶手段に保持し、アドレス生成手段（アドレス生成ステップ）により所定クロック毎にアドレスを生成し、位相シフト手段（位相シフトステップ）によりバンド切り換え信号に基づく所定数を前記アドレスに加算し、第１アナログ変換手段（第１アナログ変換ステップ）では、アドレス生成手段（アドレス生成ステップ）の出力によって記憶手段（記憶ステップ）の保持データをアドレッシングして読み出されたデータをアナログ変換して、受信中間周波数信号を受信ベースバンド信号に変換する第１直交ミキサ或いは送信ベースバンド信号を送信中間周波数信号に変換する第２直交ミキサの一つに供給し、第２アナログ変換手段（第２アナログ変換ステップ）では、位相シフト手段（位相シフトステップ）の出力によって記憶手段（記憶ステップ）の保持データをアドレッシングして読み出されたデータをアナログ変換して他の第１直交ミキサまたは第２直交ミキサに供給するようにしている。
【００５６】
このように、バンド切り換え信号によるバンド切り換え制御に対応して正しい変復調処理を行うために付加される構成要素（処理ステップ）は、送信系および受信系にそれぞれに付加される、例えばＤＤＳ（Direct Digital Synthesizer）やＤＳＰ（Digital Signal Processor）等によって実現されることとなり、受信ベースバンド信号の極性をデータ出力回路で切り換え、送信ベースバンド信号の極性を波形生成回路で切り換える従来の構成と比較して、追加される回路規模（処理ステップ）の増加を最小限に抑えて集積化に向いた構成とすることができる。また、従来のように、送信ベースバンド信号および受信ベースバンド信号を直接処理して直交成分の符号極性を反転することなく、バンド切り換え信号によるバンド切り換え制御に対応して正しい復調処理を行うことができるので、送信ベースバンド信号および受信ベースバンド信号の劣化を防止することもできる。
【００５７】
特に、請求項４に係るマルチバンドデータ通信装置では、クロック生成手段によってクロック信号を生成し、記憶手段からデータを読み出すクロック間隔を間隔決定手段によって決定して、アドレス生成手段のアドレス生成を制御するようにしている。これにより、直交復調手段、直交変調手段または局部信号生成手段において生成される局部信号の周波数を任意に制御することができる。
【００５８】
【発明の実施の形態】
以下、本発明のマルチバンドデータ通信装置、マルチバンドデータ通信装置の通信方法および記録媒体の実施の形態について、〔第１の実施形態〕から〔第１１の実施形態〕までを順に変形例を織り交ぜながら図面を参照して詳細に説明する。なお、それぞれの実施形態の説明では、本発明に係るマルチバンドデータ通信装置およびマルチバンドデータ通信装置の通信方法について詳述するが、本発明に係る記録媒体については、マルチバンドデータ通信装置の通信方法を実行させるためのプログラムを記録した記録媒体であることから、その説明は以下のマルチバンドデータ通信装置の通信方法の説明に含まれるものである。
【００５９】
〔第１の実施形態〕
図１は本発明の第１の実施形態に係るマルチバンドデータ通信装置または通信方法が適用されるマルチバンドデータ通信装置の構成図である。本実施形態は、バンド切り換え信号により複数の周波数帯を切り換えて受信するマルチバンドデータ通信装置であり、ディジタル携帯電話機やページング受信機に代表される移動体通信装置等のデータ通信装置を想定している。
【００６０】
図１において、本実施形態のマルチバンドデータ通信装置は、受信信号を効率良く受信するためのアンテナ１０１と、受信した高周波信号を低雑音で増幅する高周波増幅器１０２と、高周波信号を中間周波信号１５１に変換するダウンコンバータ１０３と、ダウンコンバータ１０３に入力するローカル信号１５２を発生するローカル発振器１０４と、ダウンコンバータ１０３にて変換された中間周波信号１５１を増幅する中間周波増幅器１０５と、増幅された中間周波信号を受信ベースバンド信号１５７および１５８に変換する直交復調器１０８と、受信ベースバンド信号１５７および１５８を受信データ１５９に変換するデータ出力回路１２１とを備えて構成されている。
【００６１】
また、図１において、直交復調器１０８は、入力された受信中間周波信号をベースバンド信号１５７および１５８に変換する直交ミキサ（第１直交ミキサ）１０９および１１０と、直交ミキサ１０９および１１０に入力する受信ローカル信号（局部発振信号）を発生させる受信ローカル発振器（局部発振手段）１１１と、受信ローカル信号の位相を変化させる移相器１１２と、受信ローカル信号を反転させるインバータ回路１１３と、位相の異なる複数の受信ローカル信号のうち何れを直交ミキサ１１０に入力するかを選択するスイッチ回路１１４を備えて構成されている。
【００６２】
ここで、移相器１１２、インバータ回路１１３およびスイッチ回路１１４は移相手段に該当し、インバータ回路１１３は反転増幅器等で、スイッチ回路１１４はスイッチング素子によるアナログスイッチ等でそれぞれ実現される。また、直交復調器１０８に付属するＤＥＣ１０７は、バンド切り換え信号１５３をデコードしてスイッチ回路１１４の切り換え信号１５４を生成するデコーダである。
【００６３】
以上のように構成されたマルチバンドデータ通信装置において、一般に、直交するベースバンド信号成分をＩ(t) およびＱ(t) としたとき、搬送波の角周波数をωRFとすれば、アンテナ１０１より受信される受信信号ＳRF(t) は、
0003638091.tif 000013
と表わすことができる。以下では各項に等しくかかる振幅の係数は無視することにする。
【００６４】
ローカル信号１５２の角周波数をωLO、任意の位相差をφLOとして、ダウンコンバータ１０３に入力するローカル発振器１０４の出力信号ＳLO(t) を次式とする。
ＳLO(t) ＝cos[ωLOt ＋φLO]   … (2)
【００６５】
ダウンコンバータ１０３では、これらのＳRF(t) とＳLO(t) とが乗算されて、その出力ＳMIX (t) は、
0003638091.tif 000014
となる。
【００６６】
ダウンコンバータ１０３の出力は、低域または帯域フィルタにて高い周波数成分であるωLO＋ωRFの項が無視されるので、ωLO＞ωRFのとき、受信中間周波信号１５１は、その角周波数ωIF（＝ωLO−ωRF) を用いて、
0003638091.tif 000015
となる。
【００６７】
直交復調器１０８において、この受信中間周波信号ＳIF(t) （１５１）に互いに９０度の位相差を持つ受信ローカル信号１５５および１５６をかけ合わせて得られるのが受信ベースバンド信号１５７および１５８であり、それぞれａ(t) 、ｂ(t) とすると、まずａ(t) は次式となる。
0003638091.tif 000016
ここでは、高い周波数の成分を無視してベースバンド成分を取り出すので、結局、
0003638091.tif 000017
となる。なお、ここではφBB＝φIF−φLOとした。
【００６８】
同様に、ｂ(t) ＝ＳIF(t)sin [ωIFt ＋φIF] であるから、
0003638091.tif 000018
となる。すなわち、信号の直交性を利用してＩ(t) 、Ｑ(t) それぞれの成分を取り出すことができる。
【００６９】
例えば、cos[φBB] ＝１とすれば、
ａ(t) ＝Ｉ(t)     … (8)
ｂ(t) ＝−Ｑ(t)   … (9)
となり、これは直交したベースバンド信号そのものである。
【００７０】
ここでは、ωLO＞ωRFとしたが、デュアルバンドあるいはマルチバンドと呼ばれる複数の周波数帯を扱う構成では、必ずしもそのような周波数関係であるとは限らない。つまり、ある周波数帯ではωLO＞ωRFで上述した通りであるが、別の周波数帯でωLO＜ωRFであるときを考えると、ωIF＝ωRF−ωLOとなるので、
0003638091.tif 000019
であるから、cos[φBB2]＝１とすれば、
ａ2(t)＝Ｉ(t)   … (13)
ｂ2(t)＝Ｑ(t)   … (14)
となり、位相関係の異なる受信ベースバンド信号が得られてしまうことになる。
【００７１】
そこで、このようなときには、直交復調器１０８において、バンド切り換え信号１５３に基づいてスイッチ回路１１４の極性を切り換えると、次式となる。
0003638091.tif 000020
ここで、高い周波数の成分、すなわち２ωIFの項を無視すると、
0003638091.tif 000021
となり、cos[φBB2]＝１とすれば、
ｂ(t) ＝−Ｑ(t)   … (17)
である。したがって、受信信号とローカル信号の周波数関係に依らず同じ受信ベースバンド信号が得られることとなる。
【００７２】
なお、本実施形態の変形例として、直交復調器１０８の移相器１１２、インバータ回路１１３およびスイッチ回路１１４等をＤＳＰ（ディジタルシグナルプロセッサ）等で構成し、これらの各要素を該ＤＳＰ上で実行されるプログラムの処理ステップとして実現することも可能である。
【００７３】
すなわち、移相器１１２に該当する第１供給ステップでは、直交ミキサ１０９に受信ローカル信号の位相をπ／２ずらした信号をＤ／Ａコンバータを介して供給し、インバータ回路１１３に該当する反転ステップでは、受信ローカル信号の符号極性を反転し、スイッチ回路１１４に該当する第２供給ステップでは、受信ローカル信号または反転ステップで反転された受信ローカル信号の何れかを、バンド切り換え信号１５３に基づき切り換えて、直交ミキサ１１０に対しＤ／Ａコンバータを介して供給する構成である。
【００７４】
以上説明したように、本実施形態のマルチバンドデータ通信装置およびマルチバンドデータ通信装置の通信方法では、バンド切り換え信号１５３に基づき受信ローカル信号の位相を変えて直交ミキサ１０９および１１０に供給するので、受信信号とローカル信号の周波数関係に依らず同じ受信ベースバンド信号を得ることができる。
【００７５】
しかも、直交復調器１０８において、移相器１１２により受信ローカル信号の位相をπ／２ずらした信号を直交ミキサ１０９に供給し、スイッチ回路１１４では、バンド切り換え信号１５３に基づき切り換え設定された受信ローカル信号またはインバータ回路１１３によって符号極性が反転された受信ローカル信号の何れかを、直交ミキサ１１０に対して供給する。このように、バンド切り換え信号１５３によるバンド切り換え制御に対応して正しい復調処理を行うために付加される構成要素は、インバータ回路１１３およびスイッチ回路１１４のみであり、受信ベースバンド信号自体の極性をデータ出力回路で切り換える従来の構成と比較して、より少ない回路規模の増加に抑えることができ、集積化に向いた構成とすることができる。
【００７６】
また、従来のように、受信ベースバンド信号を直接処理して直交成分の符号極性を反転することなく、バンド切り換え信号１５３によるバンド切り換え制御に対応して正しい復調処理を行うことができるので、受信ベースバンド信号１５７および１５８の劣化を防止することができる。
【００７７】
〔第２の実施形態〕
次に、図２は本発明の第２の実施形態に係るマルチバンドデータ通信装置または通信方法が適用されるマルチバンドデータ通信装置の構成図である。同図において、図１（第１の実施形態）と重複する部分には同一の符号を附して説明を省略する。
【００７８】
第１の実施形態においては、受信信号と受信ローカル信号の周波数関係に依らず同じ受信ベースバンド信号を得るために、直交ミキサ１１０へ入力する受信ローカル信号の位相を切り換えた。これと同じ効果を得るためには、直交ミキサ１０９および１１０に位相の異なる受信ローカル信号を入力し、さらにその位相関係をバンド切り換え信号１５３により切り換えれば良い。つまり、図１の第１の実施形態における直交復調器１０８について、移相器１１２の位置を図２に示す（２１２の）ように変更して構成することでも実現可能である。
【００７９】
図２において、直交復調器２０８は、直交ミキサ（第１直交ミキサ）１０９および１１０と、受信ローカル信号（局部発振信号）を発生させる受信ローカル発振器（局部発振手段）１１１と、受信ローカル信号の位相を変化させる移相器２１２と、受信ローカル信号を反転させるインバータ回路２１３と、位相の異なる複数の受信ローカル信号のうち何れを直交ミキサ１１０に入力するかを選択するスイッチ回路２１４を備えて構成されている。
【００８０】
なお、本実施形態についても第１の実施形態と同様に、変形例として、直交復調器２０８の移相器２１２、インバータ回路２１３およびスイッチ回路２１４等をＤＳＰ（ディジタルシグナルプロセッサ）等で構成し、これらの各要素を該ＤＳＰ上で実行されるプログラムの処理ステップとして実現することも可能である。
【００８１】
すなわち、第１供給ステップでは、直交ミキサ１０９に受信ローカル信号をＤ／Ａコンバータを介して供給し、移相器２１２に該当する位相シフトステップでは、受信ローカル信号の位相をπ／２ずらし、インバータ回路２１３に該当する反転ステップでは、位相シフトステップの出力信号の符号極性を反転し、スイッチ回路２１４に該当する第２供給ステップでは、位相シフトステップの出力信号または反転ステップの出力信号の何れかを、バンド切り換え信号１５３に基づき切り換えて、直交ミキサ１１０に対しＤ／Ａコンバータを介して供給する構成である。
【００８２】
以上説明したように、本実施形態のマルチバンドデータ通信装置およびマルチバンドデータ通信装置の通信方法では、直交復調器２０８において、受信ローカル信号を直交ミキサ１０９に供給し、スイッチ回路２１４では、移相器２１２により受信ローカル信号の位相をπ／２ずらした信号または該移相器２１２の出力をインバータ回路２１３によって符号極性を反転した信号の何れかを、バンド切り換え信号１５３に基づき切り換えて直交ミキサ１１０に供給する。このように、バンド切り換え信号１５３によるバンド切り換え制御に対応して正しい復調処理を行うために付加される構成要素は、インバータ回路２１３およびスイッチ回路２１４のみであり、受信ベースバンド信号自体の極性をデータ出力回路で切り換える従来の構成と比較して、より少ない回路規模の増加に抑えることができ、集積化に向いた構成とすることができる。また、受信ベースバンド信号１５７および１５８の劣化防止についても第１の実施形態と同様の効果を奏する。
【００８３】
〔第３の実施形態〕
次に、図３は本発明の第３の実施形態に係るマルチバンドデータ通信装置または通信方法が適用されるマルチバンドデータ通信装置の構成図である。同図において、図１（第１の実施形態）と重複する部分には同一の符号を附して説明を省略する。本実施形態の直交復調器３０８では、第１の実施形態と同じ効果を得るために、位相の変化量の異なる移相器３１２および３１３の出力をスイッチ回路３１４によって切り換えている。
【００８４】
すなわち、図３において、直交復調器３０８は、直交ミキサ（第１直交ミキサ）１０９および１１０と、受信ローカル信号（局部発振信号）を発生させる受信ローカル発振器（局部発振手段）１１１と、受信ローカル信号の位相を変化させる移相器３１２および３１３と、位相の異なる複数の受信ローカル信号のうち何れを直交ミキサ１１０に入力するかを選択するスイッチ回路３１４を備えて構成されている。
【００８５】
なお、本実施形態についても第１の実施形態と同様に、変形例として、直交復調器３０８の移相器３１２および３１３、並びにスイッチ回路３１４等をＤＳＰ（ディジタルシグナルプロセッサ）等で構成し、これらの各要素を該ＤＳＰ上で実行されるプログラムの処理ステップとして実現することも可能である。
【００８６】
すなわち、第１供給ステップでは、直交ミキサ１０９に受信ローカル信号をＤ／Ａコンバータを介して供給し、移相器３１２に該当する遅相ステップでは受信ローカル信号の位相をπ／２遅らせ、移相器３１３に該当する進相ステップでは、受信ローカル信号の位相をπ／２進ませ、スイッチ回路３１４に該当する第２供給ステップでは、遅相ステップの出力信号または進相ステップの出力信号の何れかを、バンド切り換え信号１５３に基づき切り換えて、直交ミキサ１１０に対しＤ／Ａコンバータを介して供給する構成である。
【００８７】
以上説明したように、本実施形態のマルチバンドデータ通信装置およびマルチバンドデータ通信装置の通信方法では、直交復調器３０８において、受信ローカル信号を直交ミキサ１０９に供給し、スイッチ回路３１４では、移相器３１２により受信ローカル信号の位相をπ／２遅らせた信号または移相器３１３によりπ／２進ませた信号の何れかを、バンド切り換え信号１５３に基づき切り換えて直交ミキサ１１０に供給する。このように、バンド切り換え信号１５３によるバンド切り換え制御に対応して正しい復調処理を行うために付加される構成要素は、移相器３１３およびスイッチ回路３１４のみであり、受信ベースバンド信号自体の極性をデータ出力回路で切り換える従来の構成と比較して、より少ない回路規模の増加に抑えることができ、集積化に向いた構成とすることができる。また、受信ベースバンド信号１５７および１５８の劣化防止についても第１の実施形態と同様の効果を奏する。
【００８８】
〔第４の実施形態〕
次に、図４は本発明の第４の実施形態に係るマルチバンドデータ通信装置または通信方法が適用されるマルチバンドデータ通信装置の構成図である。同図において、図１（第１の実施形態）と重複する部分には同一の符号を附して説明を省略する。本実施形態は、第１の実施形態の直交復調器１０８において、インバータ回路１１３とスイッチ回路１１４を排他的論理和回路４１３に置き換えたものである。
【００８９】
図４において、本実施形態の直交復調器４０８では、受信ローカル信号とバンド切り換え信号１５３のデコード結果（２値のディジタル信号）１５４とを排他的論理和回路４１３に入力している。排他的論理和回路４１３はバンド切り換え信号のデコード結果１５４の値により、受信ローカル信号を反転もしくは非反転して出力して直交ミキサ１１０に入力するので、このような構成でも第１の実施形態と同じ効果を得ることができる。
【００９０】
なお、本実施形態についても第１の実施形態と同様に、変形例として、直交復調器４０８の移相器４１２および排他的論理和回路４１３等をＤＳＰ（ディジタルシグナルプロセッサ）等で構成し、これらの各要素を該ＤＳＰ上で実行されるプログラムの処理ステップとして実現することも可能である。すなわち、移相器４１２に該当する第１供給ステップでは、直交ミキサ１０９に受信ローカル信号の位相をπ／２ずらした信号をＤ／Ａコンバータを介して供給し、排他的論理和回路４１３に該当する排他的論理和ステップでは、受信ローカル信号とバンド切り換え信号１５３のデコード結果１５４について排他的論理和演算を行ったものを、直交ミキサ１１０に対しＤ／Ａコンバータを介して供給する構成である。
【００９１】
また、第１の実施形態から第２の実施形態への変形と同様に、移相器４１２の位置を図２に示す（２１２の）ように変更して構成することでも、また該変更した構成をＤＳＰ上で実行されるプログラムの処理ステップとして実現することでも同じ効果が得られることは明らかである。
【００９２】
〔第５の実施形態〕
次に、図５は本発明の第５の実施形態に係るマルチバンドデータ通信装置または通信方法が適用されるマルチバンドデータ通信装置の構成図である。同図において、図１（第１の実施形態）と重複する部分には同一の符号を附して説明を省略する。本実施形態は、直交復調器において受信ローカル信号を生成する手段としてＤＤＳを用いたものである。
【００９３】
図５において、直交復調器５０８は、受信中間周波数信号を受信ベースバンド信号に変換する直交ミキサ（第１直交ミキサ）１０９および１１０と、基本となる周波数パターン分の離散データを保持するメモリ（記憶手段）５１４および５１８と、所定クロック毎にアドレスを生成するアドレス生成部５１３および５１６と、バンド切り換え信号１５３に基づく所定数（信号１５６の位相をπ／２進ませる或いはπ／２遅らせるための数）をアドレスに加算して位相をシフトする位相シフト部５１７と、アドレス生成部５１３の出力によってメモリ５１３をアドレッシングして読み出されたデータをアナログ変換して直交ミキサ１０９に供給するＤ／Ａ変換部（第１アナログ変換手段）５１５と、位相シフト部５１７の出力によってメモリ５１８をアドレッシングして読み出されたデータをアナログ変換して直交ミキサ１１０に供給するＤ／Ａ変換部（第２アナログ変換手段）５１９とを備えた構成である。
【００９４】
また、直交復調器５０８には、クロック信号を生成するクロック生成部５１１と、メモリ５１４および５１８からデータを読み出すクロック間隔Δｔを決定してアドレス生成部５１３および５１６のアドレス生成を制御する間隔決定部５１２とを備えており、この間隔決定部５１２のクロック間隔Δｔの設定により、生成される受信ローカル信号の周波数を任意に制御することができる。なお、直交復調器５０８に付属するＤＥＣ１０７は、バンド切り換え信号１５３をデコードして位相シフト部５１７への制御信号１５４を生成するデコーダである。
【００９５】
なお、本実施形態についても第１の実施形態と同様に、変形例として、直交復調器５０８の直交ミキサ１０９および１１０を除くＤＤＳ部分をＤＳＰ（ディジタルシグナルプロセッサ）等で構成し、ＤＤＳの各要素を該ＤＳＰ上で実行されるプログラムの処理ステップとして実現することも可能である。
【００９６】
すなわち、（記憶ステップにより）基本となる周波数パターン分の離散データをメモリ５１４および５１８に保持し、アドレス生成部５１３および５１６に該当するアドレス生成ステップにより所定クロック毎にアドレスを生成し、位相シフト部５１７に該当する位相シフトステップにより、バンド切り換え信号１５３に基づく所定数（信号１５６の位相をπ／２進ませる或いはπ／２遅らせるための数）をアドレスに加算し、Ｄ／Ａ変換部５１５に該当する第１アナログ変換ステップでは、アドレス生成ステップの出力によってメモリ５１４の保持データをアドレッシングして読み出されたデータをアナログ変換して直交ミキサ１０９に供給し、Ｄ／Ａ変換部５１９に該当する第２アナログ変換ステップでは、位相シフトステップの出力によってメモリ５１８の保持データをアドレッシングして読み出されたデータをアナログ変換して直交ミキサ１１０に供給する構成である。
【００９７】
以上説明したように、本実施形態のマルチバンドデータ通信装置およびマルチバンドデータ通信装置の通信方法では、バンド切り換え信号１５３に基づき受信ローカル信号の位相を変えて直交ミキサ１１０に供給するので、受信信号とローカル信号の周波数関係に依らず同じ受信ベースバンド信号を得ることができる。
【００９８】
しかも、直交復調器５０８において、バンド切り換え信号１５３によるバンド切り換え制御に対応して正しい復調処理を行うために付加される構成要素（処理ステップ）は、ＤＤＳまたはＤＳＰによって実現され、従来の構成と比較して、追加される回路規模（処理ステップ）の増加を最小限に抑えて集積化に向いた構成とすることができる。また、受信ベースバンド信号１５７および１５８の劣化防止についても第１の実施形態と同様の効果を奏する。
【００９９】
〔第６の実施形態〕
次に、図６は本発明の第６の実施形態に係るマルチバンドデータ通信装置または通信方法が適用されるマルチバンドデータ通信装置の構成図である。本実施形態は、バンド切り換え信号により複数の周波数帯を切り換えて送信するマルチバンドデータ通信装置であり、ディジタル携帯電話機に代表される移動体通信装置等のデータ通信装置を想定している。
【０１００】
図６において、本実施形態のマルチバンドデータ通信装置は、送信データ６５９を互いに直交する送信ベースバンド信号６５７および６５８に変換する波形生成回路６２１と、入力された送信ベースバンド信号６５７および６５８に対応する送信中間周波信号６５１を出力する直交変調器６０８と、ローカル信号６５２を発生するローカル発振器６０４と、送信中間周波信号６５１およびローカル信号６５２を入力して送信信号を出力するアップコンバータ６１３と、送信信号を増幅する（高出力）電力増幅器６０２と、増幅された送信信号を効率良く送信するアンテナ６０１とを備えて構成されている。
【０１０１】
また、図６において、直交変調器６０８は、入力された送信ベースバンド信号６５７および６５８を送信中間周波信号に変換する直交ミキサ（第２直交ミキサ）６０９および６１０と、直交ミキサ６０９および６１０に入力する送信ローカル信号（局部発振信号）を発生させる送信ローカル発振器（局部発振手段）６１１と、送信ローカル信号の位相を変化させる移相器６１２と、送信ローカル信号を反転させるインバータ回路６１３と、複数の送信ローカル信号をバンド切り換え信号６５３に基づき選択するスイッチ回路６１４とを備えて構成されている。
【０１０２】
ここで、移相器６１２、インバータ回路６１３およびスイッチ回路６１４は移相手段に該当し、インバータ回路６１３は反転増幅器等で、スイッチ回路６１４はスイッチング素子によるアナログスイッチ等でそれぞれ実現される。また、直交変調器６０８に付属するＤＥＣ６０７は、バンド切り換え信号６５３をデコードしてスイッチ回路６１４の切り換え信号６５４を生成するデコーダである。
【０１０３】
以上のように構成されたマルチバンドデータ通信装置において、一般に、波形生成回路６２１において送信データ６５９より生成された、互いに直交する位相関係を持つ送信ベースバンド信号６５７および６５８をそれぞれＩ(t) およびＱ(t) と表わして、送信ローカル発振器６１１の出力信号の角周波数をωIFとしたときに、送信中間周波信号６５１は、
0003638091.tif 000022
と表わすことができる。以下では各項に等しくかかる振幅の係数は無視する。
【０１０４】
アップコンバータ６０３において、この送信中間周波信号６５１はローカル発振器６０４の出力信号ＳLO(t) と乗算されるが、アップコンバータ６０３の出力信号をＳMIX (t) とすると、
0003638091.tif 000023
となる。
【０１０５】
アップコンバータ６０３の出力は、帯域フィルタにて目的の周波数成分のみが選択される。ローカル周波数が送信周波数よりも高い場合は、送信信号ＳUL(t) の角周波数をωRF( ＝ωLO−ωIF) とすると、
0003638091.tif 000024
となる。
【０１０６】
ところが、ローカル周波数が送信周波数よりも低い場合には、送信信号の角周波数はωRF＝ωLO＋ωIFとなり、この送信信号ＳLL(t) は
0003638091.tif 000025
となり、送信信号とローカル信号の周波数関係によっては異なる送信信号となってまう。
【０１０７】
そこで、このようなときには、直交変調器６０８において、バンド切り換え信号６５３に基づいてスイッチ回路６１４を切り換え、アップコンバータ６０３へ入力されるローカル信号が信号極性を反転させるインバータ回路６１３を含む経路を通るようにすると、送信中間周波信号６５１は、
0003638091.tif 000026
と表わすことができ、アップコンバータ６０３の出力信号ＳMIX (t) は、
0003638091.tif 000027
となる。
【０１０８】
ここで、ローカル周波数が送信周波数よりも低い場合に注目すると、送信信号の角周波数はωRF＝ωLO＋ωIFであるので、この送信信号ＳLL(t) は
0003638091.tif 000028
となり、ローカル周波数が送信周波数よりも高いときと同じ送信信号ＳLL(t) が得られることが分かる。
【０１０９】
なお、本実施形態の変形例として、直交変調器６０８の移相器６１２、インバータ回路６１３およびスイッチ回路６１４等をＤＳＰ（ディジタルシグナルプロセッサ）等で構成し、これらの各要素を該ＤＳＰ上で実行されるプログラムの処理ステップとして実現することも可能である。
【０１１０】
すなわち、移相器６１２に該当する第１供給ステップでは、直交ミキサ６０９に送信ローカル信号の位相をπ／２ずらした信号をＤ／Ａコンバータを介して供給し、インバータ回路６１３に該当する反転ステップでは、送信ローカル信号の符号極性を反転し、スイッチ回路６１４に該当する第２供給ステップでは、送信ローカル信号または反転ステップで反転された送信ローカル信号の何れかを、バンド切り換え信号６５３に基づき切り換えて、直交ミキサ６１０に対しＤ／Ａコンバータを介して供給する構成である。
【０１１１】
以上説明したように、本実施形態のマルチバンドデータ通信装置およびマルチバンドデータ通信装置の通信方法では、バンド切り換え信号６５３に基づき送信ローカル信号の位相を変えて直交ミキサ６０９および６１０に供給するので、周波数バンドによらず正しい送信信号を得て、送信信号とローカル信号との周波数関係に依らず所望の送信中間周波信号を得ることができる。
【０１１２】
しかも、直交復調器６０８において、移相器６１２により送信ローカル信号の位相をπ／２ずらした信号を直交ミキサ６０９に供給し、スイッチ回路６１４では、バンド切り換え信号６５３に基づき切り換え設定された送信ローカル信号またはインバータ回路６１３によって符号極性が反転された送信ローカル信号の何れかを、直交ミキサ６１０に対して供給する。このように、バンド切り換え信号６５３によるバンド切り換え制御に対応して正しい変調処理を行うために付加される構成要素は、インバータ回路６１３およびスイッチ回路６１４のみであり、送信ベースバンド信号自体の極性を波形生成回路で切り換える従来の構成と比較して、より少ない回路規模の増加に抑えることができ、集積化に向いた構成とすることができる。
【０１１３】
また、従来のように、送信ベースバンド信号を直接処理して直交成分の符号極性を反転することなく、バンド切り換え信号６５３によるバンド切り換え制御に対応して正しい変調処理を行うことができるので、送信ベースバンド信号６５７および６５８の劣化を防止することができる。
【０１１４】
〔第７の実施形態〕
次に、図７は本発明の第７の実施形態に係るマルチバンドデータ通信装置または通信方法が適用されるマルチバンドデータ通信装置の構成図である。同図において、図６（第６の実施形態）と重複する部分には同一の符号を附して説明を省略する。
【０１１５】
第６の実施形態においては、送信信号と送信ローカル信号との周波数関係に依らず所望の送信中間周波信号を得るために、直交ミキサ６１０へ入力する送信ローカル信号の位相を切り換えた。これと同じ効果を得るためには、直交ミキサ６０９および６１０に位相の異なる送信ローカル信号を入力し、さらにその位相関係をバンド切り換え信号６５３により切り換えれば良い。つまり、図６の第６の実施形態における直交変調器６０８について、移相器１１２の位置を図７に示す（７１２の）ように変更して構成することでも実現可能である。
【０１１６】
図７において、直交変調器７０８は、直交ミキサ（第２直交ミキサ）６０９および６１０と、送信ローカル信号（局部発振信号）を発生させる送信ローカル発振器（局部発振手段）６１１と、送信ローカル信号の位相を変化させる移相器７１２と、送信ローカル信号を反転させるインバータ回路７１３と、位相の異なる複数の送信ローカル信号のうち何れを直交ミキサ６１０に入力するかを選択するスイッチ回路７１４を備えて構成されている。
【０１１７】
なお、本実施形態についても第６の実施形態と同様に、変形例として、直交変調器７０８の移相器７１２、インバータ回路７１３およびスイッチ回路７１４等をＤＳＰ（ディジタルシグナルプロセッサ）等で構成し、これらの各要素を該ＤＳＰ上で実行されるプログラムの処理ステップとして実現することも可能である。
【０１１８】
すなわち、第１供給ステップでは、直交ミキサ６０９に送信ローカル信号をＤ／Ａコンバータを介して供給し、移相器７１２に該当する位相シフトステップでは、送信ローカル信号の位相をπ／２ずらし、インバータ回路７１３に該当する反転ステップでは、位相シフトステップの出力信号の符号極性を反転し、スイッチ回路７１４に該当する第２供給ステップでは、位相シフトステップの出力信号または反転ステップの出力信号の何れかを、バンド切り換え信号１５３に基づき切り換えて、直交ミキサ６１０に対しＤ／Ａコンバータを介して供給する構成である。
【０１１９】
以上説明したように、本実施形態のマルチバンドデータ通信装置およびマルチバンドデータ通信装置の通信方法では、直交変調器７０８において、送信ローカル信号を直交ミキサ６０９に供給し、スイッチ回路７１４では、移相器７１２により送信ローカル信号の位相をπ／２ずらした信号または該移相器７１２の出力をインバータ回路７１３によって符号極性を反転した信号の何れかを、バンド切り換え信号６５３に基づき切り換えて直交ミキサ６１０に供給する。このように、バンド切り換え信号６５３によるバンド切り換え制御に対応して正しい変調処理を行うために付加される構成要素は、インバータ回路７１３およびスイッチ回路７１４のみであり、送信ベースバンド信号自体の極性を波形生成回路で切り換える従来の構成と比較して、より少ない回路規模の増加に抑えることができ、集積化に向いた構成とすることができる。また、送信ベースバンド信号６５７および６５８の劣化防止についても第６の実施形態と同様の効果を奏する。
【０１２０】
〔第８の実施形態〕
次に、図８は本発明の第８の実施形態に係るマルチバンドデータ通信装置または通信方法が適用されるマルチバンドデータ通信装置の構成図である。同図において、図６（第６の実施形態）と重複する部分には同一の符号を附して説明を省略する。本実施形態の直交変調器８０８では、第６の実施形態と同じ効果を得るために、位相の変化量の異なる移相器８１２および８１３の出力をスイッチ回路８１４によって切り換えている。
【０１２１】
すなわち、図８において、直交変調器８０８は、直交ミキサ（第２直交ミキサ）６０９および６１０と、送信ローカル信号（局部発振信号）を発生させる送信ローカル発振器（局部発振手段）６１１と、送信ローカル信号の位相を変化させる移相器８１２および８１３と、位相の異なる複数の送信ローカル信号のうち何れを直交ミキサ６１０に入力するかを選択するスイッチ回路８１４を備えて構成されている。
【０１２２】
なお、本実施形態についても第６の実施形態と同様に、変形例として、直交変調器８０８の移相器８１２および８１３、並びにスイッチ回路８１４等をＤＳＰ（ディジタルシグナルプロセッサ）等で構成し、これらの各要素を該ＤＳＰ上で実行されるプログラムの処理ステップとして実現することも可能である。
【０１２３】
すなわち、第１供給ステップでは、直交ミキサ６０９に送信ローカル信号をＤ／Ａコンバータを介して供給し、移相器８１２に該当する遅相ステップでは送信ローカル信号の位相をπ／２遅らせ、移相器８１３に該当する進相ステップでは、送信ローカル信号の位相をπ／２進ませ、スイッチ回路８１４に該当する第２供給ステップでは、遅相ステップの出力信号または進相ステップの出力信号の何れかを、バンド切り換え信号６５３に基づき切り換えて、直交ミキサ６１０に対しＤ／Ａコンバータを介して供給する構成である。
【０１２４】
以上説明したように、本実施形態のマルチバンドデータ通信装置およびマルチバンドデータ通信装置の通信方法では、直交変調器８０８において、送信ローカル信号を直交ミキサ６０９に供給し、スイッチ回路８１４では、移相器８１２により送信ローカル信号の位相をπ／２遅らせた信号または移相器８１３によりπ／２進ませた信号の何れかを、バンド切り換え信号６５３に基づき切り換えて直交ミキサ６１０に供給する。このように、バンド切り換え信号６５３によるバンド切り換え制御に対応して正しい変調処理を行うために付加される構成要素は、移相器８１３およびスイッチ回路８１４のみであり、送信ベースバンド信号自体の極性を波形生成回路で切り換える従来の構成と比較して、より少ない回路規模の増加に抑えることができ、集積化に向いた構成とすることができる。また、送信ベースバンド信号６５７および６５８の劣化防止についても第６の実施形態と同様の効果を奏する。
【０１２５】
〔第９の実施形態〕
次に、図９は本発明の第９の実施形態に係るマルチバンドデータ通信装置または通信方法が適用されるマルチバンドデータ通信装置の構成図である。同図において、図６（第６の実施形態）と重複する部分には同一の符号を附して説明を省略する。本実施形態は、第６の実施形態の直交変調器６０８において、インバータ回路６１３とスイッチ回路６１４を排他的論理和回路９１３に置き換えたものである。
【０１２６】
図９において、本実施形態の直交変調器９０８では、送信ローカル信号とバンド切り換え信号６５３のデコード結果（２値のディジタル信号）６５４とを排他的論理和回路９１３に入力している。排他的論理和回路９１３はバンド切り換え信号のデコード結果６５４の値により、送信ローカル信号を反転もしくは非反転して出力して直交ミキサ６１０に入力するので、このような構成でも第６の実施形態と同じ効果を得ることができる。
【０１２７】
なお、本実施形態についても第６の実施形態と同様に、変形例として、直交変調器９０８の移相器９１２および排他的論理和回路９１３等をＤＳＰ（ディジタルシグナルプロセッサ）等で構成し、これらの各要素を該ＤＳＰ上で実行されるプログラムの処理ステップとして実現することも可能である。すなわち、移相器９１２に該当する第１供給ステップでは、直交ミキサ６０９に送信ローカル信号の位相をπ／２ずらした信号をＤ／Ａコンバータを介して供給し、排他的論理和回路９１３に該当する排他的論理和ステップでは、送信ローカル信号とバンド切り換え信号６５３のデコード結果６５４について排他的論理和演算を行ったものを、直交ミキサ６１０に対しＤ／Ａコンバータを介して供給する構成である。
【０１２８】
また、第６の実施形態から第７の実施形態への変形と同様に、移相器９１２の位置を図７に示す（７１２の）ように変更して構成することでも、また該変更した構成をＤＳＰ上で実行されるプログラムの処理ステップとして実現することでも同じ効果が得られることは明らかである。
【０１２９】
〔第１０の実施形態〕
次に、図１０は本発明の第５の実施形態に係るマルチバンドデータ通信装置または通信方法が適用されるマルチバンドデータ通信装置の構成図である。同図において、図１（第１の実施形態）と重複する部分には同一の符号を附して説明を省略する。本実施形態は、直交変調器において送信ローカル信号を生成する手段としてＤＤＳを用いたものである。
【０１３０】
図１０において、直交変調器１００８は、入力された送信ベースバンド信号６５７および６５８を送信中間周波信号に変換する直交ミキサ（第２直交ミキサ）６０９および６１０と、基本となる周波数パターン分の離散データを保持するメモリ（記憶手段）１０１４および１０１８と、所定クロック毎にアドレスを生成するアドレス生成部１０１３および１０１６と、バンド切り換え信号６５３に基づく所定数（信号６５６の位相をπ／２進ませる或いはπ／２遅らせるための数）をアドレスに加算して位相をシフトする位相シフト部１０１７と、アドレス生成部１０１３の出力によってメモリ１０１３をアドレッシングして読み出されたデータをアナログ変換して直交ミキサ６０９に供給するＤ／Ａ変換部（第１アナログ変換手段）１０１５と、位相シフト部１０１７の出力によってメモリ１０１８をアドレッシングして読み出されたデータをアナログ変換して直交ミキサ６１０に供給するＤ／Ａ変換部（第２アナログ変換手段）１０１９とを備えた構成である。
【０１３１】
また、直交変調器１００８には、クロック信号を生成するクロック生成部１０１１と、メモリ１０１４および１０１８からデータを読み出すクロック間隔Δｔを決定してアドレス生成部１０１３および１０１６のアドレス生成を制御する間隔決定部１０１２とを備えており、この間隔決定部１０１２のクロック間隔Δｔの設定により、生成される送信ローカル信号の周波数を任意に制御することができる。なお、直交変調器１００８に付属するＤＥＣ６０７は、バンド切り換え信号６５３をデコードして位相シフト部６１７への制御信号６５４を生成するデコーダである。
【０１３２】
なお、本実施形態についても第６の実施形態と同様に、変形例として、直交変調器１００８の直交ミキサ６０９および６１０を除くＤＤＳ部分をＤＳＰ（ディジタルシグナルプロセッサ）等で構成し、ＤＤＳの各要素を該ＤＳＰ上で実行されるプログラムの処理ステップとして実現することも可能である。
【０１３３】
すなわち、（記憶ステップにより）基本となる周波数パターン分の離散データをメモリ１０１４および１０１８に保持し、アドレス生成部１０１３および１０１６に該当するアドレス生成ステップにより所定クロック毎にアドレスを生成し、位相シフト部１０１７に該当する位相シフトステップにより、バンド切り換え信号６５３に基づく所定数（信号６５６の位相をπ／２進ませる或いはπ／２遅らせるための数）をアドレスに加算し、Ｄ／Ａ変換部１０１５に該当する第１アナログ変換ステップでは、アドレス生成ステップの出力によってメモリ１０１４の保持データをアドレッシングして読み出されたデータをアナログ変換して直交ミキサ６０９に供給し、Ｄ／Ａ変換部１０１９に該当する第２アナログ変換ステップでは、位相シフトステップの出力によってメモリ１０１８の保持データをアドレッシングして読み出されたデータをアナログ変換して直交ミキサ６１０に供給する構成である。
【０１３４】
以上説明したように、本実施形態のマルチバンドデータ通信装置およびマルチバンドデータ通信装置の通信方法では、バンド切り換え信号６５３に基づき送信ローカル信号の位相を変えて直交ミキサ６１０に供給するので、送信信号とローカル信号との周波数関係に依らず所望の送信中間周波信号を得ることができる。
【０１３５】
しかも、直交変調器１００８において、バンド切り換え信号６５３によるバンド切り換え制御に対応して正しい変調処理を行うために付加される構成要素（処理ステップ）は、ＤＤＳまたはＤＳＰによって実現され、従来の構成と比較して、追加される回路規模（処理ステップ）の増加を最小限に抑えて集積化に向いた構成とすることができる。また、送信ベースバンド信号６５７および６５８の劣化防止についても第６の実施形態と同様の効果を奏する。
【０１３６】
〔第１１の実施形態〕
さらに、図１１は本発明の第１１の実施形態に係るマルチバンドデータ通信装置または通信方法が適用されるマルチバンドデータ通信装置の構成図である。同図において、従来例（図１２）、第４の実施形態（図４）および第９の実施形態（図９）と重複する部分には同一の符号を附する。本実施形態は、バンド切り換え信号により複数の周波数帯を切り換えて送受信するマルチバンドデータ通信装置であり、第４の実施形態および第９の実施形態をマルチバンドデータ通信装置の受信部および送信部にそれぞれ適用したものである。
【０１３７】
図１１において、本実施形態のマルチバンドデータ通信装置は、アンテナ１０１と、ローカル発振器１０４と、受信部、送信部および局部信号生成部とを備えた構成である。ここで受信部としては、高周波増幅器１０２、ダウンコンバータ１０３、中間周波増幅器１０５、直交復調器４０８’およびデータ出力回路１２１を備え、送信部としては、（高出力）電力増幅器６０２、アップコンバータ６０３、直交変調器６０９’および波形生成回路６２１を備えた構成である。
【０１３８】
また、局部信号生成部は、第４の実施形態の直交復調器４０８および第９の実施形態の直交変調器６０９において、２つの直交ミキサに供給するローカル信号を生成する部分を共通化するために構成したものであり、ローカル発振器（局部発振手段）１１１、移相器４１２、排他的論理和回路４１３およびデコーダ（ＤＥＣ）１０７を備えた構成である。ここで、移相器４１２および排他的論理和回路４１３は移相手段に該当する。
【０１３９】
すなわち、ローカル発振器１１１のローカル信号の位相を移相器４１２でπ／２ずらした信号を一方の直交ミキサ１０９および６０９に供給し、また、他方の直交ミキサ１１０および６１０には、ローカル信号とバンド切り換え信号１５３のデコーダ１０７によるデコード結果１５４とを排他的論理和回路４１３に入力して、バンド切り換え信号１５３のデコード結果１５４の値によりローカル信号を反転もしくは非反転した信号を供給する。これにより、それぞれのバンドに適した周波数のローカル信号が各直交ミキサに出力され、直交復調器４０８’および直交変調器６０９’が正しく動作することとなる。
【０１４０】
先ず、受信部において、アンテナ１０１より受信した変調された受信信号は、高周波増幅器１０２により増幅され、その後ダウンコンバータ１０３に入力される。ダウンコンバータ１０３では、増幅された受信信号とローカル発振器１０４の出力するローカル信号１５２のそれぞれの周波数の和および差となる周波数の信号を出力するが、例えば、低域フィルタまたは帯域フィルタを利用して、受信高周波信号よりも周波数の低くなる差の周波数の信号を受信中間周波信号として選択する。ダウンコンバータ１０３より出力された受信信号より低い周波数の受信中間周波信号１５１は、中間周波増幅器１０５により増幅され、直交復調器４０８’に入力される。
【０１４１】
直交復調器４０８’は、受信中間周波信号を受信ベースバンド信号１５７および１５８に変換する２つの直交ミキサ１０９および１１０を備え、直交ミキサ１０９および１１０には、増幅された受信中間周波信号、並びに、移相器４１２の出力信号１５５および排他的論理和回路４１３の出力信号１５６が入力されて、互いに９０度の位相差を持つ受信ベースバンド信号１５７および１５８を出力する。データ出力回路１２１は、互いに９０度の位相差を持つ受信ベースバンド信号１５７および１５８の位相関係を利用して、受信データ１５９を復号する。
【０１４２】
一方、送信部においては、送信データ６５９が入力された波形生成回路６２１では、該送信データ６５９に従った位相関係を持つ送信ベースバンド信号６５７および６５８が生成され、直交変調器６０９’に入力される。
【０１４３】
直交変調器６０９’は、送信ベースバンド信号６５７および６５８を中間周波信号に変換する直交ミキサ６０９および６１０と、２つの直交ミキサ６０９および６１０が出力した２つの中間周波信号を合成して送信中間周波信号６５１を出力する加算器６０６とを備え、送信データ６５９に従った位相差を持つ２つの送信ベースバンド信号６５７および６５８を入力して、送信中間周波信号６５１を出力する。すなわち、直交ミキサ６０９および６１０には、送信データ６５９に従った位相差を持つ２つの送信ベースバンド信号６５７および６５８、並びに、移相器４１２の出力信号６５５および排他的論理和回路４１３の出力信号６５６が入力されて、送信中間周波信号を出力する。
【０１４４】
アップコンバータ６０３は、入力される送信中間周波信号６５１とローカル信号１５２のそれぞれの周波数の和と差となる周波数の信号を出力するが、例えば高域フィルタまたは帯域フィルタ等を用いて、周波数の高くなる和の周波数の信号を送信高周波信号として選択する。アップコンバータ６０３の出力する送信高周波信号は、（高出力）電力増幅器６０２にて増幅され、送信信号としてアンテナ１０１より出力される。
【０１４５】
なお、本実施形態の変形例として、局部信号生成部の移相器４１２および排他的論理和回路４１３等をＤＳＰ（ディジタルシグナルプロセッサ）等で構成し、これらの各要素を該ＤＳＰ上で実行されるプログラムの処理ステップとして実現することも可能である。
【０１４６】
すなわち、移相器４１２に該当する第１供給ステップでは、一方の直交ミキサ１０９および６０９にローカル信号の位相をπ／２ずらした信号をＤ／Ａコンバータを介して供給し、排他的論理和回路４１３に該当する排他的論理和ステップでは、ローカル信号とバンド切り換え信号１５３のデコード結果１５４について排他的論理和演算を行ったものを、他方の直交ミキサ１１０および６１０に対しＤ／Ａコンバータを介して供給する構成である。
【０１４７】
以上説明したように、本実施形態のマルチバンドデータ通信装置およびマルチバンドデータ通信装置の通信方法では、バンド切り換え信号１５３に基づきローカル信号の位相を変えて直交ミキサ１０９，１１０および６０９，６１０に供給するので、受信信号とローカル信号の周波数関係に依らず同じ受信ベースバンド信号を得ることができると共に、送信信号とローカル信号との周波数関係に依らず所望の送信中間周波信号を得ることができる。
【０１４８】
しかも、局部信号生成部において、移相器４１２によりローカル信号の位相をπ／２ずらした信号を一方の直交ミキサ１０９および６０９に供給し、バンド切り換え信号１５３に基づき符号極性が反転または非反転されたローカル信号の何れかを、排他的論理和回路４１３から他方の直交ミキサ１１０および６１０に供給する。このように、バンド切り換え信号１５３によるバンド切り換え制御に対応して正しい変復調処理を行うために付加される構成要素は、排他的論理和回路４１３のみであり、受信ベースバンド信号自体の極性をデータ出力回路で切り換え、送信ベースバンド信号自体の極性を波形生成回路で切り換える従来の構成と比較して、より少ない回路規模の増加に抑えることができ、集積化に向いた構成とすることができる。
【０１４９】
また、従来のように、ベースバンド信号を直接処理して直交成分の符号極性を反転することなく、バンド切り換え信号１５３によるバンド切り換え制御に対応して正しい変復調処理を行うことができるので、ベースバンド信号の劣化を防止することができる。
【０１５０】
また、以上説明した本実施形態の構成では、同種の第４の実施形態および第９の実施形態をそれぞれ受信部および送信部に適用して、共通部分（ローカル発振器１１１、移相器４１２、排他的論理和回路４１３およびデコーダ１０７）を局部信号生成部で共用する構成としたが、同種の第１の実施形態および第６の実施形態を、第２の実施形態および第７の実施形態を、また第３の実施形態および第８の実施形態を、それぞれ受信部および送信部に適用してもよい。
【０１５１】
また、共通化可能な部分がローカル発振器１１１およびデコーダ１０７程度に減少してしまうが、第１の実施形態を受信部に第７の実施形態を送信部に適用するなど、異種の組み合わせで構成することも可能である。さらに、同種の受信部および送信部の組み合わせの構成においても、共通部分をローカル発振器１１１およびデコーダ１０７とし、移相手段を構成する各要素を直交復調器および直交変調器内にそれぞれに持つような構成としてもかまわない。
【０１５２】
【発明の効果】
以上説明したように、本発明のマルチバンドデータ通信装置、マルチバンドデータ通信装置の通信方法および記録媒体によれば、バンド切り換え信号により複数の周波数帯を切り換えて受信する際に、局部発振手段（局部発振ステップ）で局部発振信号を生成し、移相手段（移相ステップ）により、バンド切り換え信号に基づき局部発振信号の位相を変えて、受信信号または受信中間周波数信号を受信ベースバンド信号に変換する第１直交ミキサに供給することとしたので、受信信号と局部発振信号との周波数関係に依らず所望の受信ベースバンド信号を得ることができ、バンド切り換え信号によるバンド切り換え制御に対応して正しい復調処理を行うことができる。また、このために付加される構成要素（処理ステップ）は移相手段（移相ステップ）のみで、追加される回路規模（処理ステップ）の増加を最小限に抑えることができ、集積化に向いた構成とすることができる。さらに、従来のように受信ベースバンド信号を直接処理して直交成分の符号極性を反転することがないので、受信ベースバンド信号の劣化を防止することもできる。
【０１５３】
また、本発明によれば、バンド切り換え信号により複数の周波数帯を切り換えて送信する際に、局部発振手段（局部発振ステップ）で局部発振信号を生成し、移相手段（移相ステップ）により、バンド切り換え信号に基づき局部発振信号の位相を変えて、送信ベースバンド信号を送信信号または送信中間周波数信号に変換する第２直交ミキサに供給することとしたので、送信信号と局部発振信号との周波数関係に依らず所望の送信信号もしくは送信中間周波信号を得ることができ、バンド切り換え信号によるバンド切り換え制御に対応して正しい変調処理を行うことができる。また、このために付加される構成要素（処理ステップ）は、移相手段（移相ステップ）のみで、追加される回路規模（処理ステップ）の増加を最小限に抑えることができ、集積化に向いた構成とすることができる。さらに、従来のように、送信ベースバンド信号を直接処理して直交成分の符号極性を反転することがないので、送信ベースバンド信号の劣化を防止することもできる。
【０１５４】
また、本発明によれば、バンド切り換え信号により複数の周波数帯を切り換えて送受信する際に、局部発振手段（局部発振ステップ）で局部発振信号を生成し、移相手段（移相ステップ）により、バンド切り換え信号に基づき局部発振信号の位相を変えて、受信信号または受信中間周波数信号を受信ベースバンド信号に変換する第１直交ミキサ或いは送信ベースバンド信号を送信信号または送信中間周波数信号に変換する第２直交ミキサに供給することとしたので、周波数バンドによらず正しい受信ベースバンド信号および送信信号を得ることができ、バンド切り換え信号によるバンド切り換え制御に対応して正しい変復調処理を行うことができる。また、このために付加される構成要素（処理ステップ）は、送信系および受信系にそれぞれ移相手段（移相ステップ）が付加されたのみで、追加される回路規模（処理ステップ）の増加を最小限に抑えることができ、集積化に向いた構成とすることができる。さらに、従来のように、送信ベースバンド信号および受信ベースバンド信号を直接処理して直交成分の符号極性を反転することがないので、送信ベースバンド信号および受信ベースバンド信号の劣化を防止することもできる。
【０１５５】
また本発明によれば、バンド切り換え信号によるバンド切り換え制御に対応して正しい変復調処理を行うために付加する構成要素（処理ステップ）を、反転手段（反転ステップ）および切り換え手段（第２供給ステップ）或いは排他的論理和手段（排他的論理和ステップ）のみ、反転手段（反転ステップ）および切り換え手段（第２供給ステップ）或いは排他的論理和手段（排他的論理和ステップ）のみ、若しくは、進相手段（進相ステップ）および切り換え手段（第２供給ステップ）のみとする構成により、追加される回路規模（処理ステップ）の増加を最小限に抑えることができ、集積化に向いた構成とすることができる。
【０１５６】
さらに、本発明によれば、バンド切り換え信号により複数の周波数帯を切り換えて送受信する際に、（記憶ステップにより）基本となる周波数パターン分の離散データを記憶手段に保持し、アドレス生成手段（アドレス生成ステップ）により所定クロック毎にアドレスを生成し、位相シフト手段（位相シフトステップ）によりバンド切り換え信号に基づく所定数を前記アドレスに加算し、第１アナログ変換手段（第１アナログ変換ステップ）では、アドレス生成手段（アドレス生成ステップ）の出力によって記憶手段（記憶ステップ）の保持データをアドレッシングして読み出されたデータをアナログ変換して、受信信号または受信中間周波数信号を受信ベースバンド信号に変換する第１直交ミキサ或いは送信ベースバンド信号を送信信号または送信中間周波数信号に変換する第２直交ミキサの一つに供給し、第２アナログ変換手段（第２アナログ変換ステップ）では、位相シフト手段（位相シフトステップ）の出力によって記憶手段（記憶ステップ）の保持データをアドレッシングして読み出されたデータをアナログ変換して他の第１直交ミキサまたは第２直交ミキサに供給することとしたので、バンド切り換え信号によるバンド切り換え制御に対応して正しい変復調処理を行うために付加される構成要素（処理ステップ）を、送信系および受信系にそれぞれに付加されるＤＤＳやＤＳＰ等で実現できるので、追加される回路規模（処理ステップ）の増加を最小限に抑えて集積化に向いた構成とすることができる。また、従来のように、送信ベースバンド信号および受信ベースバンド信号を直接処理して直交成分の符号極性を反転することがないので、送信ベースバンド信号および受信ベースバンド信号の劣化を防止することもできる。
【図面の簡単な説明】
【図１】本発明の第１の実施形態に係るマルチバンドデータ通信装置の構成図である。
【図２】本発明の第２の実施形態に係るマルチバンドデータ通信装置の構成図である。
【図３】本発明の第３の実施形態に係るマルチバンドデータ通信装置の構成図である。
【図４】本発明の第４の実施形態に係るマルチバンドデータ通信装置の構成図である。
【図５】本発明の第５の実施形態に係るマルチバンドデータ通信装置の構成図である。
【図６】本発明の第６の実施形態に係るマルチバンドデータ通信装置の構成図である。
【図７】本発明の第７の実施形態に係るマルチバンドデータ通信装置の構成図である。
【図８】本発明の第８の実施形態に係るマルチバンドデータ通信装置の構成図である。
【図９】本発明の第９の実施形態に係るマルチバンドデータ通信装置の構成図である。
【図１０】本発明の第１０の実施形態に係るマルチバンドデータ通信装置の構成図である。
【図１１】本発明の第１１の実施形態に係るマルチバンドデータ通信装置の構成図である。
【図１２】従来のマルチバンドデータ通信装置の構成図である。
【符号の説明】
１０１，６０１    アンテナ
１０２    高周波増幅器
１０３    ダウンコンバータ
１０４    ローカル発振器
１０５    中間周波増幅器
１０７，６０７    デコーダ
１０８，２０８，３０８，４０８，４０８’，５０８    直交復調器
１０９，１１０    第１直交ミキサ
１１１    受信ローカル発振器（局部発振手段）
１１２，２１２，３１２，３１３，４１２    移相器
１１３，２１３，６１３，７１３    インバータ回路
４１３，９１３    排他的論理和回路
１１４，２１４，３１４    スイッチ回路
１２１    データ出力回路
１５１    中間周波信号
１５２    ローカル信号
１５３    バンド切り換え信号
１５４    デコード結果（切り換え信号）
１５７，１５８    受信ベースバンド信号
１５９    受信データ
５１１，１０１１    クロック生成部
５１２，１０１２    間隔決定部
５１３，５１６，１０１３，１０１６    アドレス生成部
５１４，５１８，１０１４，１０１８    メモリ（記憶手段）
５１７，１０１７    位相シフト部
５１５，５１９，１０１５，１０１９    Ｄ／Ａ変換部（アナログ変換手段）
６０２    （高出力）電力増幅器
６０３    アップコンバータ
６０４    ローカル発振器
６０８，７０８，８０８，９０８，９０８’，１００８    直交変調器
６０９，６１０    直交ミキサ（第２直交ミキサ）
６１１    送信ローカル発振器（局部発振手段）
６１２，７１２，８１２，８１３，９１２    移相器
６１４，７１４，８１４    スイッチ回路
６２１    波形生成回路
６５１    送信中間周波信号
６５２    ローカル信号
６５３    バンド切り換え信号
６５４    デコード結果（切り換え信号）
６５７，６５８    送信ベースバンド信号
６５９    送信データ
【図１】
0003638091.tif 000029
【図２】
0003638091.tif 000030
【図３】
0003638091.tif 000031
【図４】
0003638091.tif 000032
【図５】
0003638091.tif 000033
【図６】
0003638091.tif 000034
【図７】
0003638091.tif 000035
【図８】
0003638091.tif 000036
【図９】
0003638091.tif 000037
【図１０】
0003638091.tif 000038
【図１１】
0003638091.tif 000039
【図１２】
0003638091.tif 000040